(57)【特許請求の範囲】
【請求項１】
造波プールにおいて、
水を保持するように構成され、その中での利用者のレクリエーション活動を促すのに十分な大きさのある槽と、
前記槽の中央に近接する場所に配置されている波生成メカニズムであって、波エネルギーが前記波生成メカニズムから外に向かって多方向に進むように前記水を押し退けることによって、前記波生成メカニズムから外に向かって前記槽の外周へ向けて前記水の中を伝播する波を生成するように構成されている波生成メカニズムと、を備えており、
前記波生成メカニズムはプランジャシステムを備え、前記プランジャシステムは、該プランジャシステムの複数のプランジャを、前記水の中に、縦方向に挿入する、縦揺れさせる、又は横揺れさせることによって、前記水を押し退けるように構成され、前記複数のプランジャの各々は、各プランジャの縁の間に延びている可撓性シートによって相互に連結されて前記水との接触を増大させている、ことを特徴とする造波プール。
【請求項２】
前記造波プールは前記槽を囲むように少なくとも実質的に３６０度のビーチフロントを備えており、前記波生成メカニズムは、外に向かって前記ビーチフロントへ向けて伝播する波を生成するように構成されている、請求項１に記載の造波プール
【請求項３】
前記複数のプランジャは、複数の押し退け装置であって、それぞれの押し退け装置が波を異なった方向に生成するよう構成されるようにして多角形配列に配置されている複数の押し退け装置を備えている、請求項１に記載の造波プール。
【請求項４】
前記造波プールは、前記波生成メカニズムを少なくとも実質的に囲むように配置されている有孔防壁を備え、その結果、水は前記有孔防壁を通過することができ、前記槽の前記外周と前記有孔防壁の間の区域の利用者は前記波生成メカニズムへのアクセスを遮断されるようにしている、請求項１に記載の造波プール。
【請求項５】
前記複数のプランジャは、単一の押し退け装置であって、角度の付いた面を有しているか又は当該押し退け装置の周りに延びていて当該押し退け装置を作動させると水が異なった時期に押し退けられるように前記水に接触するよう構成されている複数の異なった面を有している単一の押し退け装置、を備えている、請求項１に記載の造波プール。
【請求項６】
前記複数のプランジャの各々は、複数の合体波パターンを生成するように順に起動されるように構成され、前記複数の合体波パターンは、前記波生成メカニズムの周りに形成される螺旋波を含んでいる、請求項１に記載の造波プール。
【請求項７】
前記複数のプランジャは、前記波を前記波生成メカニズムから遠ざけるように方向づけるように構成されている表面機構を備えている、請求項１に記載の造波プール。
【請求項８】
前記表面機構は、前記水を非均一に打ちつけるように構成されている、請求項７に記載の造波プール。
【請求項９】
前記造波プールはアクチュエータを備えており、前記アクチュエータは、閉じ込め機構の一部分を上昇又は下降させて、前記閉じ込め機構内に配置されている蓄積された水を放出して前記閉じ込め機構から多方向に流出させるように構成されている放出メカニズムを含む、請求項１に記載の造波プール。
【請求項１０】
前記造波プールはアクチュエータを備えており、前記アクチュエータは、前記波生成メカニズムの周りの複数の流れ経路の配列の中へ水を放出するか又は空気を圧縮するように構成されている弁を含み、前記複数流れ経路は方向付け機構として機能している、請求項１に記載の造波プール。
【請求項１１】
造波プール内の中央の場所から当該プールの外周へ向けて波を生成する方法において、  波が水の中を伝播されるように、前記造波プールの中の前記水を前記中央の場所に配置されている波生成メカニズムを介して押し退ける段階と、
前記波が前記波生成メカニズムから外に向かって多方向に当該波生成メカニズムを少なくとも実質的に取り囲んでいる汀線区域まで伝播するように、前記波の方向を方向付け機構を用いて制御する段階と、を備え、
それぞれ型式が異なった複数の波が組み合わさって前記波生成メカニズムの周りに螺旋波を形成するように波の伝播を調整する段階と、
前記造波プールの汀線区域の方向からの水を前記造波プールの集水システムを介して前記波生成メカニズムに向けて後退するように循環させる段階と、
前記造波プールの中に配置された排水部を介して集水する段階と、及び、
前記排水部からの集水を受け取り該集水を前記波生成メカニズムに向けて流れを促す段階とを備えたことを特徴とする方法。
【請求項１２】
前記造波プールは前記槽の外周の方向からの水を前記波生成メカニズムの方向に向けて後退させるように循環させるように構成された集水システムを備えており、
該集水システムは、
集水するように構成されている排水部であって、前記波生成メカニズムによって生成された波と前記槽の１つ又はそれ以上の周壁によって反射された波との間の干渉の発生を低減するように波の伝播経路に沿って前記槽の外縁に配置されている排水部と、
該排水部からの集水を受け入れるとともに、該集水の流れを前記波生成メカニズムに向けて促すように構成された輸送機構とを備えている、請求項１に記載の造波プール。
【請求項１３】
前記輸送機構は、前記槽の底部の下に又は前記槽に沿って配置されている配管を備えており、前記排水部は前記外周に近接して配置されている、請求項１２に記載の造波プール。
【請求項１４】
プランジャを、前記水の中に、縦方向に挿入する、縦揺れさせる、又は横揺れさせることによって、前記水を押し退ける段階を備えている、請求項１１に記載の方法。
【発明の詳細な説明】
【技術分野】
【０００１】
[0001]本開示は、概括的には、遊園地の分野に関する。より厳密には、本開示の実施形態は、造波プールの外周によって実質的に又は完全に包囲されている波生成機から多方向に向きを付けられた波を生成するのに利用される方法及び機器に関する。
【背景技術】
【０００２】
[0002]親水公園は、近年、世界中で人気が高まっている。親水公園は、ウォータースライド、散水区域、ゆったり流れる川、遊泳プール、及び他のレクリエーション的な水浴び及び遊泳環境の様な、遊水設備（water features）や乗り物を組み入れた遊園地の一型式である。親水公園は、自然を人工的に模倣したものを含んでいる。例えば、多くの親水公園は、川の急流や滝を真似た人工の川や乗り物を含んでいる。別の例として、親水公園は、人工の海洋環境として機能している１つ又はそれ以上の造波プールを含んでいることもある。造波プールは、海岸の天然の寄波と浜辺の衛生と管理の行き届いたバージョンと言い表すことができよう。
【０００３】
[0003]造波プールは、親水公園の入園者にサーフィンやボディボードなどのための人工的な環境を提供するのに利用されていることもある。また、入園者が泳いだり、又は単にくつろぎ、水を通過してゆく波と戯れたりすることのできる造波プールが提供されていることもある。入園者の各種活動に適した設定を提供するためには、異なった型式の波が所望されよう。例えば、サーフィン活動には大きい波又は力強い波が好ましく、また遊泳活動には小さい波が好ましいであろう。従って、親水公園は、異なった活動向けに異なった造波プールを設けていることもある。同様に、親水公園は、入園者に様々な体験を提供するように同じ造波プールで時間毎に異なった型式の波を提供していることもある。
【発明の概要】
【０００４】
[0015]本開示は、概括的には、構成が大凡円形とされている造波プールであって、親水公園利用者又は入園者が造波プールの外周の全周又は全周をめぐる各所で波にアクセスできるようになった造波プールに関する。より厳密には、本開示の実施形態は、造波プールの中に、造波プールの外周の内の場所から、波が外に向かって多方向に造波プールの汀線まで伝播してゆくようにして、波を提供するための方法及び機器に向けられている。実際に、本実施形態によれば、波は、造波プールの中央又はその付近に設置されている波生成メカニズムから、波が外に向かって３６０度に即ち造波プールの周りを多方向に拡がるように生成することができる。本実施形態による造波プールは、親水公園利用者又は入園者にとって視覚的に魅力的でまた独特な体験を提供することであろう。異なった波が波生成メカニズムから異なった方向に発生するので、来園者は包囲する汀を周って好みの区域へ移動できる。また、本実施形態は、入園者が波生成メカニズムの周りを完全に一周して泳げるようにしている。加えて、波生成メカニズムは、異なった方向への波生成を調整して、造波プール全体に亘って固有の波パターン（例えば、螺旋波）を形成することもできる。
【０００５】
[0004]本発明のこれら及び他の特徴、態様、及び利点は、次に続く詳細な説明が添付図面と関連付けて読まれれば、より深く理解されることであり、図面全体を通して同様の符号は同様の部分を表している。
【図面の簡単な説明】
【０００６】
【図１】[0005]本技法による造波プールの略平面図である。
【図２】[0006]本技法による図１の造波プールの略断面図である。
【図３】[0007]本技法による多角形の島及び歩道又は防壁を含む造波プールの略平面図である。
【図４】[0008]本技法によるプランジャシステムを含む造波プールの略断面図である。
【図５】[0009]本技法による、造波プールの略平面図と、造波プールの波生成メカニズムによって利用されているプランジャシステムの断面図と、を含んでいる。
【図６】[0010]本技法による、複数のプランジャシステムの収縮状態にあるところを上から見た図であり、それらプランジャシステムのプランジャは展開式シートを介して一体に連結されている。
【図７】[0011]本技法による、図６の複数のプランジャシステムの展開状態にあるところを上から見た図であり、それプランジャシステムのプランジャは展開式シートを介して一体に連結されている。
【図８】[0012]本技法による水投棄システムを含む造波プールの略断面図である。
【図９】[0013]本技法による水投棄システムの斜視図である。
【図１０】[0014]本技法による空気ブラストシステムを含む造波プールの略断面図である。
【発明を実施するための形態】
【０００７】
[0016]図を見てゆくと、図１は、本実施形態による造波プール１００の略平面図である。図示の実施形態では、造波プール１００は、プール区域１０２、造波プール１００の外周１０６の内に配置されている波生成メカニズム１０４、波生成メカニズム１０４を取り囲む有孔防壁１０８、集水システム１１０、波生成メカニズム１０４と一体化されていて有孔防壁１１２の上に張り出しているプラットホーム１１２、及び汀又は浜区域１１４、を含んでいる。造波プール１００は、図２にも描かれており、図２はＡ−Ａ線に沿った造波プール１００の略断面図を提供している。図１及び図２の造波プール１００は、本開示の１つの実施形態を表している。実際に、本開示の他の実施形態では、図１及び図２に描かれている造波プール１００の様々な態様は含まれていないこともあれば、異なるやり方で配列されていることもあろうし、或いは異なった特性を含んでいることもあろう。例えば、幾つかの実施形態では、造波プール１００は、集水システム１１０又はプラットホーム１１２を含んでいない。
【０００８】
[0017]プール区域１０２は、概して、水を満たした槽１２０（例えば、コンクリートで裏打ちされた掘削穴）によって形成されている。水は、積み上げ式に島１２２を形成している場合もある波生成メカニズム１０４及び他の機構（例えば、プラットホーム１１２）を取り囲んでいる。図示の実施形態では、槽１２０は、実質的に中央の場所から外周１０６に向かって上向きに漸進的に勾配の付いた底部１２４を含んでいる。この漸進勾配が、天然の浜区域を模倣した造波プール１００用の汀線を提供している。幾つかの実施形態では、勾配は槽１２０のそれぞれの区域毎に変化しており、その結果、外周１０６に沿ったそれぞれ異なった区域が利用者に様々な体験を提供する。例えば、外周１０６に沿ってそれぞれ異なった地点では、その様な地点付近の勾配の性質に基づいて、異なった型式の波が提供されるようになっていてもよい。更に、幾つかの実施形態では、槽１２０の外周１０６に沿った諸部分は、垂直又は実質的に垂直な壁を形成していてもよい。
【０００９】
[0018]波生成メカニズム１０４は、波エネルギーを起こし（例えば、造波プール１００中の水を押し退けるか又は押す）、すると水分子が他の水分子を押し（例えば持ち上げ）、その結果、波が汀１１４に向かって水を通って伝播してゆく、というやり方で波を生成する。波が水を通過する際に水のうねりが形成される。本実施形態によれば、波生成メカニズム１０４は、多種多様な押し退け媒体（例えば、固体機構、水、又は空気）を利用している幾つかの方法の１つ又はそれら方法の組合せによって波を生成することができよう。具体的には、例えば、水の波は、加圧空気、汲み上げ水、櫂、プランジャ、造波プール１００への一定量の水の投棄、など、を用いて水を押し退けることによって生成されてもよい。また、多種多様なメカニズムをひとまとめに利用して波を生成してもよい。実際に、その様なメカニズムの組合せは、特定の型式の波の生成を可能にするであろう。水が波生成メカニズム１０４によって押し退けられる又は押し出される方式は、特定の波特性を生じさせる。また、波が汀１１４に近づくにつれ、波は変化したり又は他の波と合体したりすることもある。例えば、波は、槽１２０の変化（例えば、深さの変化）のせいで遅くなったり横方向に圧縮されたりするかもしれない。また一方で、波は、本質的に同じエネルギーを担持しているはずなので、より高く又はより丈高になり、終には砕けてしまう。底部１２４の勾配は、この波の形成及び／又は砕けのプロセスの特定の態様に影響を及ぼし、よって波の特性は勾配に依存して変わる。而して、本実施形態は、波生成メカニズム１０４の特徴を底部１２４の態様又は槽１２０の他の特性と調整して様々な波型式を提供することができよう。
【００１０】
[0019]波生成メカニズム１０４は、造波プールの水位線又は汀線より上及び／又は下に設置することができよう。有孔防壁１０８（例えば、スロット付きの壁又は開口格子パターンを有する防壁）は、利用者が波生成メカニズム１０４にアクセスするのを遮断しながらも、波生成メカニズム１０４からの波が通過するのを許容する。幾つかの実施形態では、波生成メカニズム１０４は多角形形状を有しているか、又は波生成メカニズムの押し退け装置が多角形形状を含んでいる。例えば、波生成メカニズム１０４は、多角形形状に配列された接触面（例えば、斜面）を有する単一プランジャを含んでおり、プランジャのそれぞれの接触面が水の中へ落とされると、波が当該面から遠ざかる方向に方向付けられるようになっていてもよい。別の実施形態では、波生成メカニズム１０４は、複数の波生成装置を、それらが多角形を形成するように配列させて含んでいてもよい。波生成メカニズム１０４のその様な多角形構成は、図３に描かれている様に、形状が概ね多角形である島１２２に対応したものとされている。他の実施形態では、波生成メカニズム１０４及び島１２２は概ね丸くなっている。波生成メカニズム１０４及び／又は槽１２０の異なった構成は、造波プール１００の外周（又は浜区域）のそれぞれ異なった区域に沿って異なった大きさ及び強さを有する波の生成をやり易くすることであろう。図３に描かれている様に、幾つかの実施形態では、波生成メカニズム１０４は、中心からやや外れるようにして外周１０６の一部分に外周１０６の他の部分よりも近接に配置されていてもよく、すると、波生成メカニズム１０４への近接度に基づいて、外周１０６の異なった区域に異なった型式の波が打ち寄せることであろう。
【００１１】
[0020]幾つかの実施形態では、波生成メカニズム１０４は、プール区域１０２からの水を、押し退け媒体としての使用のために受け取るか又は蓄積する。実際に、波生成に利用される水の少なくとも一部は、プール区域１０２の様々な場所から獲得されている。他の実施形態では、水は、特定の波特性を作り出すのを（例えば、槽１２０の縁から跳ね返る波からの干渉を低減することによって）支援するため、又は他の理由（例えば、放水砲台、滝、又は散水区域への水供給）で、外周１０６から島１２２へ戻されてもよい。水をプール区域１０２から島１２２又は波生成メカニズム１０３へ移動させる実施形態では、集水システム１１０が採用されていてもよい。具体的に、図１及び図２に描かれている実施形態では、造波プール１００は、外周１０６をめぐる各所に、水を受け取るように構成されている排水部１３０を含んでいる。他の実施形態では、排水部１３０は、異なった区域に設置されている。具体的には、図示の実施形態では、排水部１３０は、格子１３４が上に配置されている開口部１３２を含んでおり、排水部１３０は外周１０６をめぐる溝又はチャネル１３６に設置されている。チャネル１３６は、水を排水部１３０に向けて方向付けするよう機能していてもよい。幾つかの実施形態では、格子１３４は、大きな粒子（例えば、ごみ）をフィルタ除去するべく、また利用者がチャネル１３６に踏み入るのを防止するべく、チャネル１３６全体を覆っていてもよい。これらの排水部１３０やチャネル１３６などは、集水システム１１０の構成要素である。他の実施形態では、異なった構成要素及び配列が利用されてもよい。
【００１２】
[0021]排水部１３０は、水を集め、同様に集水システム１１０の構成要素である輸送機構１４０（例えば、配管又は水路）の中へ排流する。輸送機構は、排水部１３０によって集められた水の波生成メカニズム１０４又は島１２２の他の機構への（例えば、重力を介した）輸送を促す。従来の造波プールは、造波プールの縁から波生成機の裏又傍の区域まで表面に沿って流れる水回収溜めを含んでいることがある。図示の実施形態では、輸送機構１４０は、外周１０６をめぐって延びているチャネル１３６と、槽１２０の底部１２４の下を波生成メカニズム１０４の揚水システム１４４まで走っている一対の管を含んでいる。他の実施形態では、輸送機構１４０は、異なったやり方で配列されていてもよい。例えば、１つの実施形態では、それぞれの排水部１３０は、排流水を揚水システム１４４の中へ輸送している配管の中へ直接排流されている。別の実施形態では、排水部１３０は、造波プール１００をめぐって配置されていて、単一の輸送機構１４０へ接続されている集水場所へ排流されており、輸送機構１４０は集水場所から波生成メカニズム１０４又は島１２２へ延びていて、そこまでの水の流れを促す。揚水システム１４４は、集められた水を波生成に向けて用意するよう作動する。例えば、揚水システム１４４は、水を波生成メカニズム１０４からジェット流として送り出すか、水をプール区域１０２への放出に向けて波生成メカニズム１０４の閉じ込め容器の中へ送り込むか、又はそれら両方の働きをしていてもよい。
【００１３】
[0022]幾つかの実施形態では、図３に描かれている様に、造波プール１００は、汀１１４からプラットホーム１１２まで延びている構造１５０（例えば、防壁、歩道、又は橋）を含んでいてもよい。図示の実施形態では、構造１５０は、人が汀１１４からプラットホーム１１２まで歩いて行ってプラットホーム１１２でのリクレーションに参加できるようにする歩行路を含んでいる。実際に、プラットホーム１１２は、植物、海岸様区域、岩礁構造、など、を含むことによって天然の島を模倣するように設計されていてもよい。構造１５０は、保守点検作業員が簡単に波生成メカニズム１０４にアクセスできるようにもしている。１つの実施形態では、構造１５０は、輸送機構１４０の１つ又はそれ以上を収納している。例えば、構造１５０は、水面から底部１２４まで延びる防壁を含んでいてもよいし、構造１５０は、波生成メカニズム１０４へ供給すること又はそれ以外に水を外周１０６の周りの区域から島１２２へ移動させることをやり易くするために、集水地点（例えば、排水部１３０のうちの１つ）から波生成メカニズム１０４まで延びる配管又はチャネルを含んでいてもよい。１つの実施形態では、構造１５０は、利用者が構造１５０の下を泳ぐことができるように、底部１２４までずっと延びていなくてもよい。
【００１４】
[0023]図４は、造波プール１００の略断面図であり、波生成メカニズム１０４は、波を造波プール１００の中で多方向に生成するように構成されているプランジャシステム２００を備えている。プランジャシステム２００は、押し退け装置としてのプランジャ２０２とアクチュエータ２０４を含んでいる。作動時、プランジャ２０２は、水の中へ押圧されるか又は落とされる。プランジャ２０２の水への衝突が、プランジャ２０２から遠ざかって多方向に（例えば、全方向に）周囲の汀１１４に向かって拡がってゆく波を生成する。プランジャ２０２の衝突面又は接触面（例えば、角度の付いた面）は、特定の波特性を生じさせることであろう。実際に、プランジャ２０２の特定の表面機構は、生成された波を或る特定の方向に方向付けする方向付け機構として機能する。アクチュエータ２０４は、波を生成するべくプランジャ２０２を繰返し引き上げ水の中へ落とす（押圧する）ように構成されているモーター（例えば、油圧駆動式モーター又は空気圧駆動式モーター）を含んでいてもよい。
【００１５】
[0024]プランジャ２０２は、多角形又は丸い断面を有していよう。図示の実施形態では、プランジャ２０２は、プランジャ２０２の外周をめぐって波生成を促す接触機構又は打撃要素２０６（例えば、斜面を有するレッジ）を含んでいる。これらの打撃要素２０６は、波を特定の方向に案内する方向付け機構としての役割も果たす。プランジャ２０２は、異なった面にそれぞれ異なった機構を有する異なった打撃要素２０６を有し、様々な型式の波がそれぞれの面によって生成されるように或いは波がプランジャ２０２の同じ動作に基づいて異なった時期に生成されるようになっていてもよい。１つの実施形態では、プランジャ２０２は区分けされている。同様に、波生成メカニズム１０４の周りには、異なった型式の波を異なった方向に生成するように複数のプランジャが利用されていてもよい。具体的には、プランジャ２０２又は複数のプランジャは、関心の波パターンが生成され３６０度に亘って広がるように水を非均一に打ちつけるようになっていてもよい。例えば、１つの実施形態では、打撃要素２０は、プランジャ２０２の外周をめぐって或る角度で又は角度を変化させながら螺旋を描いている単一の斜面に対応していて、プランジャ２０２を作動させると、斜面の異なった部分が順々に水を打ちつけ、螺旋状の波パターンを作り出してゆくようになっていてもよい。別の例として、打撃要素２０６は、単一プランジャ又は複数プランジャの複数の角度の付いた又は輪郭の付いた面を異なった高さに配列させて含んでいて、単一プランジャ又は複数プランジャを水の中へ向かわせると、異なった打撃要素が異なった時期に水に接触するようになっていてもよい。これは、複数のパターンの波が形成されるようにプランジャによる波生成の調整をやり易くすることであろう。例えば、様々な波を異なった時期に異なった方向に生成させて造波プール１００に螺旋波を発生させることができよう。別の実施形態では、プランジャは、非一様な波を生成するように水中で操縦されてもよい（例えば、様々に異なった時期に様々に異なった角度で水中へと駆動されてもよい）。具体的には、例えば、プランジャを縦揺れ及び／又は横揺れさせながら垂直に水の中へ入れたり出したりして特定の波特性を生成させるようにしてもよい。
【００１６】
[0025]幾つかの実施形態では、波生成メカニズム１０４は、波生成メカニズム１０４から汀１１４に向けて外に向くようにして一体に配列されている複数のプランジャを含んでおり、それらプランジャは図５に描かれている様に波生成メカニズムを完全に取り囲んでいてもよい。その様なプランジャは、直線的に駆動されているか又はリンク仕掛けシステムによって駆動されていてもよい。例えば、複数のプランジャシステムを波生成システム１０４の外周を形成するように配列して、それらを水の中へ落とす又は押圧して異なった方向に波を生成させることができる。例として、プランジャシステムには、横方向作動型システム３０２、角度付きプランジャシステム３０４、縦方向作動型システム３０６、及び半径方向作動型システム３０８、が含まれよう。図５は、プランジャシステム３０２、３０５、３０６、３０８の略側面図を描いている。図５は、更に、波生成メカニズム１０４に関するそれぞれの型式のプランジャシステムの場所を、本実施形態による造波プール１００の平面図に描いている。プランジャシステムのそれぞれは、アクチュエータ３１０とプランジャ３１２を含んでいる。横方向作動型システム３０２及び角度付きプランジャシステム３０４のプランジャ３１２は、打撃要素としての役目を果たす平面状の面を有する板であり、一方、縦方向作動型システム３０６用のプランジャ３１２は頚部３１４（例えば、板様構造）と細長であってもよいとされる面取りされた頭部３１６を含んでいて、より多くの水を打ちつけてより長い波を生成させる。半径方向作動型システム３０８用のプランジャ３１２は、回転して水の中へ分け入り波を生成する櫂を含んでいる。横方向作動型システム３０２は作動させると（矢印３２０で指し示されている様に）横方向に動き、角度付きプランジャシステム３０４は作動させると（矢印３２２で指し示されている様に）半径方向に動き、縦方向作動型システム３０６は作動させると（矢印３２４で指し示されている様に）縦方向に動き、半径方向作動型システム３０８は作動させると（矢印３２６で指し示されている様に）回転する。これらの異なった型式のプランジャシステムが、異なった型式の波を発生させ、及び／又は、或る波パターンを生成するべく協働する。例えば、プランジャシステム３０２、３０５、３０６、３０８の協調動作によって生成することのできる螺旋波３２０が図５に描かれている。
【００１７】
[0026]幾つかの実施形態では、複数の異なったプランジャ（例えば、横方向作動型プランジャシステム３０２及び角度付きプランジャシステム３０４のプランジャ３１２）は、可撓性材料によって一体に連結されていてもよい。例えば、可撓性／伸縮性材料（例えば、ゴムシート）がそれらプランジャ３１２の縁の間に延びていて、そうでなければプランジャ３１２が直接触れることのない区域の水との接触を提供していてもよい。例えば、図６及び図７は、展開可能なシート４０２（例えば、ゴムシート）が複数のプランジャシステム４００のプランジャ４０４を当該展開可能なシート４０２がそれらプランジャ４０４の縁の間に延びるようにして一体に連結している状態の複数のプランジャシステム４００の上面図を描いている。具体的には、本実施形態に基づくプランジャシステム４００による波生成時の展開可能なシート４０２の作用を説明するために、図６は、プランジャシステム４００が展開状態４０８にあるところを描き、図７は、プランジャシステム４００が収縮状態４１０にあるところを描いている。展開状態４０８では、展開可能なシート４０２の運動によって波は部分的に生成される。単一の展開可能なシートが描かれているが、幾つかの実施形態では、複数の展開可能なシートがシートの縁をプランジャ４０４の縁と連結させて利用されていてもよい。更に指摘しておくべきこととして、図６及び図７はプランジャシステム４００を同時に作動させていることを示しているが、幾つかの実施形態では、プランジャシステム４００のそれぞれは、異なった時期に作動されてもよい。
【００１８】
[0027]図８は、本発明による水投棄システム５００を含む波生成メカニズム１０４の略断面図を描いている。この実施形態では、水は揚水システム１４４によってタンク５０２の中へ吸い上げられ、放出メカニズム５０４（例えば、弁）によって造波プール１００の中へ放出される。この投棄又は排出は、水を、波生成メカニズム５０４の周りに（例えば、円形配列に）配置されている放出管５０６の様な方向付け機構を通して放出することによって、波作用を多方向に作り出すことができる。幾つかの実施形態では、タンク５０２は、放出の速度を上げるためにポンプ５０６によって加圧されていてもよい。更に、タンク５０２は、異なったタイミング及び異なった特性を持つ異なった方向への波の生成をやり易くするように区分けされていてもよい。
【００１９】
[0028]１つの実施形態では、タンク５０２は、図９に描かれている様に、タンク壁６００とシールメカニズム６０２を含んでいてもよい。タンク５０２は、タンク壁６００にシールメカニズム６０２が係合している間に揚水システム１４４から水を受け取る。タンク５０２の中に十分な量の水が蓄積されたら、タンク壁６００が矢印６０６で表わされている様にアクチュエータ６０４によってシールメカニズム６０２との係合から引き上げられ、その結果、水がタンク壁６００の底部とシールメカニズム６０２の間の途切れから多方向に放出される。一旦水が放出されたら、タンク５０２に水を再度充填するためにタンク壁６００は下ろされてシールメカニズム６０２と係合する。幾つかの実施形態では、この方式で放出された水は、方向付け機構（例えば、管材、チャネル、又は注ぎ口）を介して多方向に案内されてもよい。また、幾つかの実施形態では、タンク壁５００は、それを引き上げたときに水が異なった時期に異なった側から放出されるように、高さに変化を付けることによって方向付け機構としての役目を果たしていてもよい。同様に、シールメカニズム６０２は、タンク壁５０２が係合から引き上げられたときに水の流れを異なったやり方で方向付けるように構成が変えられてもよい。更に、幾つかの実施形態では、タンク壁６００は、タンク５０２の中に蓄積された水がタンク５０２の最上部から流れ出るようにシース様のシールメカニズムの中へ下ろされるようになっていてもよい。幾つかの実施形態では、投棄システム５００の様な投棄システムは、波を多方向に生成するように組み合わされる各種波生成システムの１つとしての波生成システム１０４へ組み入れられていてもよい。
【００２０】
[0029]図１０は、本実施形態による波生成メカニズム１０４の更に別の実施形態の略断面図を描いている。具体的には、図９に描かれている波生成メカニズム１０４は、波を多方向に生成するために造波プール１００の水の中へ圧縮空気を吹き込むように構成されている空気ブラストシステム６００を含んでいる。作動時、空気ブラストシステム６００は、空気タンク６０２中の空気を空気圧縮機６０４で圧縮し、圧縮された空気を放出メカニズム６０６（例えば、弁）で、波が生成されるように空気を水の中へ方向付ける管材６０８の中へ周期的に放出する。管材６０８は、波生成メカニズムの周りに配列されている注ぎ口を含んでいる。空気ブラストシステム６００の様なシステムは、本実施形態により波を生成するのに他のシステムと組み合わされてもよい。
【００２１】
[0030]ここでは本発明の一部の特定の特徴のみを示し説明してきたが、当業者には多くの修正及び変更が想起されるであろう。従って、付随の特許請求の範囲は、本発明の真髄の内に入るあらゆるその様な修正及び変更を対象として包含することを意図しているものと理解されたい。
【符号の説明】
【００２２】
１００  造波プール
１０２  プール区域
１０４  波生成メカニズム
１０６  造波プール外周
１０８  有孔防壁
１１０  集水システム
１１２  プラットホーム
１１４  汀又は浜区域
１２０  槽
１２２  島
１２４  底部
１３０  排水部
１３２  開口部
１３４  格子
１３６  溝又はチャネル
１４０  輸送機構
１４４  揚水システム
１５０  構造（例えば、防壁、歩道、又は橋など）
２００  プランジャシステム
２０２  プランジャ
２０４  アクチュエータ
２０６  接触機構又は打撃要素
３０２  横方向作動型システム
３０４  角度付きプランジャシステム
３０６  縦方向作動型システム
３０８  半径方向作動型システム
３１０  アクチュエータ
３１２  プランジャ
３２０、３２２、３２４、３２６  プランジャの作動方向
４００  複数のプランジャシステム
４０２  展開可能なシート
４０４  プランジャ
４０８  プランジャシステム展開状態
４１０  プランジャシステム収縮状態
５００  水投棄システム
５０２  タンク
５０４  放出メカニズム
５０６  放出管
６００  タンク壁（図９）
６０２  シールメカニズム
６０４  アクチュエータ
６００  空気ブラストシステム（図１０）
６０２  空気タンク
６０４  空気圧縮機
６０６  放出メカニズム
６０８  管材
【図１】
0005959124.tif 000002
【図２】
0005959124.tif 000003
【図３】
0005959124.tif 000004
【図４】
0005959124.tif 000005
【図５】
0005959124.tif 000006
【図６】
0005959124.tif 000007
【図７】
0005959124.tif 000008
【図８】
0005959124.tif 000009
【図９】
0005959124.tif 000010
【図１０】
0005959124.tif 000011